(57)【特許請求の範囲】
【請求項１】
グループ通信を実施するための方法であって、
ユーザ機器(UE)において、第1のネットワーク上でグループ通信を定義する情報を受信するステップと、
前記UEにおいて、前記第1のネットワークの外部の少なくとも1つのローカル単方向無線ブロードキャストネットワークの利用可能性を検出するステップであって、前記少なくとも1つのローカル単方向無線ブロードキャストネットワークの前記利用可能性を検出するステップが、前記少なくとも1つのローカル単方向無線ブロードキャストネットワークを介した送信を受信することが可能な受信機を前記UEが有するかどうかを判断するステップを含む、ステップと、
前記UEの前記受信機が前記少なくとも1つのローカル単方向無線ブロードキャストネットワークを介した送信を受信することが可能であることに基づいて、前記少なくとも1つのローカル単方向無線ブロードキャストネットワークに接続するという意図を示す肯定応答を送信し、前記少なくとも1つのローカル単方向無線ブロードキャストネットワーク上の前記グループ通信を監視するステップと、
前記UEの前記受信機が前記少なくとも1つのローカル単方向無線ブロードキャストネットワークを介した送信を受信することが可能ではないことに基づいて、前記第1のネットワークのユニキャストチャネルを介して前記グループ通信を受信するステップと
を含む方法。
【請求項２】
前記少なくとも1つのローカル単方向無線ブロードキャストネットワーク上の送信はFMまたはAM送信である、請求項1に記載の方法。
【請求項３】
前記第1のネットワークがセルラーネットワークである、請求項2に記載の方法。
【請求項４】
前記肯定応答を送信する前記ステップが前記第1のネットワーク上で実行される、請求項2に記載の方法。
【請求項５】
前記第1のネットワークがセルラーネットワークであり、前記肯定応答を送信する前記ステップがユニキャスト接続上で実行される、請求項4に記載の方法。
【請求項６】
前記FMまたはAM送信がアナログ送信である、請求項2に記載の方法。
【請求項７】
デジタルメディアが前記FM送信で送信される、請求項2に記載の方法。
【請求項８】
前記デジタルメディアを送信するための前記FM送信の安全性が、前記グループ通信に参加する前記UEに提供される暗号化鍵を用いて確保される、請求項7に記載の方法。
【請求項９】
前記第1のネットワークがセルラーネットワークであり、前記方法が、
前記グループ通信における通信を可能にするために前記第1のネットワーク上でユニキャスト接続を確立するステップをさらに含む、請求項1に記載の方法。
【請求項１０】
確立する前記ステップがフロア要求であり、前記グループ通信がプッシュツートーク(PTT)グループ通信である、請求項9に記載の方法。
【請求項１１】
前記グループ通信における前記通信の後に、前記第1のネットワーク上の前記ユニキャスト接続をドロップするステップ
をさらに含む、請求項9に記載の方法。
【請求項１２】
前記グループ通信を定義する前記情報が、前記少なくとも1つのローカル単方向無線ブロードキャストネットワークの識別子および/またはアドレスを含む、請求項1に記載の方法。
【請求項１３】
前記グループ通信を定義する前記情報が、グループメンバーリストを含む、請求項1に記載の方法。
【請求項１４】
前記グループ通信を定義する前記情報が、前記グループ通信の開始時間および終了時間または継続時間を含む、請求項1に記載の方法。
【請求項１５】
前記グループ通信を定義する前記情報に基づいて、前記グループ通信の開始時間を検出するステップ
をさらに含む、請求項1に記載の方法。
【請求項１６】
前記グループ通信を定義する前記情報に基づいて、前記グループ通信の終了時間を検出するステップと、
前記少なくとも1つのローカル単方向無線ブロードキャストネットワークの監視を停止するステップと
をさらに含む、請求項1に記載の方法。
【請求項１７】
前記少なくとも1つのローカル単方向無線ブロードキャストネットワークを介してグループ通信メディアを受信するステップ
をさらに含む、請求項1に記載の方法。
【請求項１８】
前記グループ通信メディアがトークスパートである、請求項17に記載の方法。
【請求項１９】
前記第1のネットワーク上の呼中ステータスを受信するステップ
をさらに含む、請求項1に記載の方法。
【請求項２０】
グループ通信を定義する情報を受信する前記ステップが、
ショートメッセージサービス(SMS)メッセージで、前記グループ通信を定義する前記情報を受信するステップを含む、請求項1に記載の方法。
【請求項２１】
グループ通信を実施するための装置であって、
プロセッサと、
前記プロセッサによって実行されると、前記装置に、
第1のネットワーク上でグループ通信を定義する情報を受信するステップと、
前記第1のネットワークの外部の少なくとも1つのローカル単方向無線ブロードキャストネットワークの利用可能性を検出するステップであって、前記少なくとも1つのローカル単方向無線ブロードキャストネットワークの前記利用可能性を検出するステップが、前記少なくとも1つのローカル単方向無線ブロードキャストネットワークを介した送信を受信することが可能な受信機を前記装置が有するかどうかを判断するステップを含む、ステップと、
前記装置の前記受信機が前記少なくとも1つのローカル単方向無線ブロードキャストネットワークを介した送信を受信することが可能であることに基づいて、前記少なくとも1つのローカル単方向無線ブロードキャストネットワークに接続するという意図を示す肯定応答を送信し、前記少なくとも1つのローカル単方向無線ブロードキャストネットワーク上の前記グループ通信を監視するステップと、
前記装置の前記受信機が前記少なくとも1つのローカル単方向無線ブロードキャストネットワークを介した送信を受信することが可能ではないことに基づいて、前記第1のネットワークのユニキャストチャネルを介して前記グループ通信を受信するステップと
を含む動作を実行させる命令を記憶するメモリと
を備える装置。
【請求項２２】
前記少なくとも1つのローカル単方向無線ブロードキャストネットワークがFMまたはAM送信である、請求項21に記載の装置。
【請求項２３】
前記第1のネットワークがセルラーネットワークである、請求項22に記載の装置。
【請求項２４】
前記肯定応答を送信する前記ステップが前記第1のネットワーク上で実行される、請求項22に記載の装置。
【請求項２５】
前記第1のネットワークがセルラーネットワークであり、前記肯定応答を送信する前記ステップがユニキャスト接続上で実行される、請求項24に記載の装置。
【請求項２６】
前記FMまたはAM送信がアナログ送信である、請求項22に記載の装置。
【請求項２７】
デジタルメディアが前記FM送信で送信される、請求項22に記載の装置。
【請求項２８】
前記デジタルメディアを送信するための前記FM送信の安全性が、前記グループ通信に参加する前記UEに提供される暗号化鍵を用いて確保される、請求項27に記載の装置。
【請求項２９】
前記第1のネットワークがセルラーネットワークであり、前記動作が、
前記グループ通信における通信を可能にするために前記第1のネットワーク上でユニキャスト接続を確立するステップをさらに含む、請求項21に記載の装置。
【請求項３０】
確立する前記ステップがフロア要求であり、前記グループ通信がプッシュツートーク(PTT)グループ通信である、請求項29に記載の装置。
【請求項３１】
前記動作が、
前記グループ通信における前記通信の後に、前記第1のネットワーク上の前記ユニキャスト接続をドロップするステップ
をさらに含む、請求項29に記載の装置。
【請求項３２】
前記グループ通信を定義する前記情報が、前記少なくとも1つのローカル単方向無線ブロードキャストネットワークの識別子および/またはアドレスを含む、請求項21に記載の装置。
【請求項３３】
前記グループ通信を定義する前記情報が、グループメンバーリストを含む、請求項21に記載の装置。
【請求項３４】
前記グループ通信を定義する前記情報が、前記グループ通信の開始時間および終了時間または継続時間を含む、請求項21に記載の装置。
【請求項３５】
前記動作が、
前記グループ通信を定義する前記情報に基づいて、前記グループ通信の開始時間を検出するステップ
をさらに含む、請求項21に記載の装置。
【請求項３６】
前記動作が、
前記グループ通信を定義する前記情報に基づいて、前記グループ通信の終了時間を検出するステップと、
前記少なくとも1つのローカル単方向無線ブロードキャストネットワークの監視を停止するステップと
をさらに含む、請求項21に記載の装置。
【請求項３７】
前記動作が、
前記少なくとも1つのローカル単方向無線ブロードキャストネットワークを介してグループ通信メディアを受信するステップ
をさらに含む、請求項21に記載の装置。
【請求項３８】
前記グループ通信メディアがトークスパートである、請求項37に記載の装置。
【請求項３９】
前記動作が、
前記第1のネットワーク上の呼中ステータスを受信するステップ
をさらに含む、請求項21に記載の装置。
【請求項４０】
グループ通信を定義する情報を受信する前記ステップが、
ショートメッセージサービス(SMS)メッセージで、前記グループ通信を定義する前記情報を受信するステップを含む、請求項21に記載の装置。
【請求項４１】
グループ通信を実施するための装置であって、
第1のネットワーク上でグループ通信を定義する情報を受信するように構成された論理手段と、
前記第1のネットワークの外部の少なくとも1つのローカル単方向無線ブロードキャストネットワークの利用可能性を検出するように構成された論理手段であって、前記少なくとも1つのローカル単方向無線ブロードキャストネットワークの前記利用可能性を検出するように構成された前記論理手段が、前記少なくとも1つのローカル単方向無線ブロードキャストネットワークを介した送信を受信することが可能な受信機を前記装置が有するかどうかを判断するように構成された論理手段を含む、論理手段と、
前記装置の前記受信機が前記少なくとも1つのローカル単方向無線ブロードキャストネットワークを介した送信を受信することが可能であることに基づいて、前記少なくとも1つのローカル単方向無線ブロードキャストネットワークに接続するという意図を示す肯定応答を送信し、前記少なくとも1つのローカル単方向無線ブロードキャストネットワーク上の前記グループ通信を監視するように構成された論理手段と、
前記装置の前記受信機が前記少なくとも1つのローカル単方向無線ブロードキャストネットワークを介した送信を受信することが可能ではないことに基づいて、前記第1のネットワークのユニキャストチャネルを介して前記グループ通信を受信するように構成された論理手段と
を備える装置。
【請求項４２】
グループ通信を実施するための装置であって、
第1のネットワーク上でグループ通信を定義する情報を受信するための手段と、
前記第1のネットワークの外部の少なくとも1つのローカル単方向無線ブロードキャストネットワークの利用可能性を検出するための手段であって、前記少なくとも1つのローカル単方向無線ブロードキャストネットワークの前記利用可能性を検出するための前記手段が、前記少なくとも1つのローカル単方向無線ブロードキャストネットワークを介した送信を受信することが可能な受信機を前記装置が有するかどうかを判断するための手段を含む、手段と、
前記装置の前記受信機が前記少なくとも1つのローカル単方向無線ブロードキャストネットワークを介した送信を受信することが可能であることに基づいて、前記少なくとも1つのローカル単方向無線ブロードキャストネットワークに接続するという意図を示す肯定応答を送信し、前記少なくとも1つのローカル単方向無線ブロードキャストネットワーク上の前記グループ通信を監視するための手段と、
前記装置の前記受信機が前記少なくとも1つのローカル単方向無線ブロードキャストネットワークを介した送信を受信することが可能ではないことに基づいて、前記第1のネットワークのユニキャストチャネルを介して前記グループ通信を受信するための手段と
を備える装置。
【請求項４３】
グループ通信を実施するための非一時的コンピュータ可読記録媒体であって、
第1のネットワークからグループ通信を定義する情報を受信するための少なくとも1つの命令と、
前記第1のネットワークの外部の少なくとも1つのローカル単方向無線ブロードキャストネットワークの利用可能性を検出するための少なくとも1つの命令であって、前記少なくとも1つのローカル単方向無線ブロードキャストネットワークの前記利用可能性を検出するための前記少なくとも1つの命令が、前記少なくとも1つのローカル単方向無線ブロードキャストネットワークを介した送信を受信することが可能な受信機をユーザ機器(UE)が有するかどうかを判断するための少なくとも1つの命令を含む、命令と、
前記UEの前記受信機が前記少なくとも1つのローカル単方向無線ブロードキャストネットワークを介した送信を受信することが可能であることに基づいて、前記少なくとも1つのローカル単方向無線ブロードキャストネットワークに接続するという意図を示す肯定応答を送信し、前記少なくとも1つのローカル単方向無線ブロードキャストネットワーク上の前記グループ通信を監視するための少なくとも1つの命令と、
前記UEの前記受信機が前記少なくとも1つのローカル単方向無線ブロードキャストネットワークを介した送信を受信することが可能ではないこと基づいて、前記第1のネットワークのユニキャストチャネルを介して前記グループ通信を受信するための少なくとも1つの命令と
を含む非一時的コンピュータ可読記録媒体。
【発明の詳細な説明】
【技術分野】
【０００１】
本開示は、一般に通信に関し、より詳細には、セルラー通信システムにおけるブロードキャストサービスおよびマルチキャストサービス上でグループ通信をサポートするための技法に関する。
【背景技術】
【０００２】
セルラー通信システムは、利用可能なシステムリソースを共有することによって複数のユーザのための双方向通信をサポートすることができる。セルラーシステムは、ブロードキャスト局からユーザへの単方向送信を主にサポートするかまたはそれのみをサポートすることができるブロードキャストシステムとは異なる。セルラーシステムは、様々な通信サービスを提供するために広く展開されており、符号分割多元接続(CDMA)システム、時分割多元接続(TDMA)システム、周波数分割多元接続(FDMA)システム、直交FDMA(OFDMA)システム、シングルキャリアFDMA(SC-FDMA)システムなどの多元接続システムであり得る。
【０００３】
セルラーシステムは、ブロードキャストサービス、マルチキャストサービス、およびユニキャストサービスをサポートし得る。ブロードキャストサービスは、すべてのユーザによって受信され得るサービス、たとえば、ニュース放送である。マルチキャストサービスは、あるユーザのグループによって受信され得るサービス、たとえば、サブスクリプションビデオサービスである。ユニキャストサービスは、特定のユーザを対象とするサービス、たとえば、ボイス呼である。グループ通信は、ユニキャスト、ブロードキャスト、マルチキャスト、または各々の組合せを使用して実装され得る。
【０００４】
ユニキャストエアインターフェースの能力は、競技場内の多数のユーザ間のプッシュツートークグループ呼などの、モバイル環境におけるおよび/または小さい地理的領域における大きいユーザグループ用の対話型グループ通信の制限要因である。グループがより大きくなると、概して、マルチキャストサービスを使用するほうがより効率的になる。ブロードキャスト/マルチキャストサービス(BCMCS:Broadcast and Multicast Service)または進化型マルチメディアブロードキャストマルチキャストサービス(eMBMS:evolved Multimedia Broadcast Multicast Service)などのマルチキャストチャネルを使用することは、制限されたエアインターフェースの問題を解決するが、非常に高価なインフラストラクチャおよびコアネットワークを必要とし、したがって、大半の事業者にとっては実際的な解決策ではない場合がある。エアインターフェースの制限に加えて、グループ通信サーバの拡張性も、非常に大規模なグループ呼通信の制限要因である。
【発明の概要】
【課題を解決するための手段】
【０００５】
本開示は、グループ通信を実施することを対象とする。一実施形態は、第1のネットワークからグループ通信を定義する情報を受信し、第1のネットワークの外部の少なくとも1つのローカル単方向無線ブロードキャストネットワークの利用可能性を検出し、少なくとも1つのローカル単方向無線ブロードキャストネットワークに接続するという意図を示す肯定応答を送信し、少なくとも1つのローカル単方向無線ブロードキャストネットワーク上のグループ通信を監視する。
【０００６】
添付の図面は、本発明の実施形態の説明を助けるために提示され、実施形態の限定ではなく、実施形態の例示のためのみに提供される。
【図面の簡単な説明】
【０００７】
【図１】ワイヤレス通信システムを示す図である。
【図２】ブロードキャスト/マルチキャストサービスをサポートすることができるワイヤレス通信システムの一部分のブロック図である。
【図３】ユーザ機器(UE)を示す図である。
【図４】例示的なワイヤレス通信システムを示す図である。
【図５】一実施形態の例示的なフローを示す図である。
【図６】UEにおいて実行される一実施形態の例示的なフローを示す図である。
【図７】アプリケーションサーバにおいて実行される一実施形態の例示的なフローを示す図である。
【図８】機能を実行するように構成された論理を含む通信デバイスを示す図である。
【発明を実施するための形態】
【０００８】
以下の説明および関連する図面で、様々な実施形態の態様が開示される。本発明の範囲から逸脱することなく、代替実施形態が考案され得る。さらに、様々な実施形態の関連する詳細を不明瞭にしないように、様々な実施形態のよく知られている要素は詳細に記載されないか、または省略される。
【０００９】
「例示的な」という言葉は、「例、実例、または例示として機能すること」を意味するために本明細書で使用される。「例示的な」として本明細書で説明するいかなる実施形態も、必ずしも他の実施形態よりも好ましいまたは有利であると解釈されるべきではない。同様に、「本発明の実施形態」という用語は、本発明のすべての実施形態が、論じられた特徴、利点または動作モードを含むことを必要としない。さらに、本明細書で使用するグループ通信、プッシュツートークという用語、または同様の変形態は、2つ以上のデバイス間のサーバ調停されたサービスを指すものである。
【００１０】
本明細書で使用する用語は、特定の実施形態の説明のみを目的とするものであり、様々な実施形態を限定するものではない。本明細書で使用する単数形「a」、「an」、および「the」は、文脈が別段に明確に示すのでなければ、複数形をも含むものとする。さらに、本明細書で使用するとき、「備える(comprises)」、「備えている(comprising)」、「含む(includes)」、および/または「含んでいる(including)」という用語は、述べられた特徴、整数、ステップ、動作、要素、および/または構成要素の存在を明示するが、1つまたは複数の他の特徴、整数、ステップ、動作、要素、構成要素、および/またはそれらのグループの存在または追加を排除しないことを理解されたい。
【００１１】
さらに、多くの実施形態が、たとえばコンピューティングデバイスの要素によって実行されるべき、一連の動作に関して説明される。本明細書で説明する様々な動作は、特定の回路(たとえば、特定用途向け集積回路(ASIC))によって実行され得るか、1つまたは複数のプロセッサによって実行されるプログラム命令によって実行され得るか、あるいは両方の組合せによって実行され得ることが認識されよう。さらに、本明細書で説明するこれらの一連の動作は、実行時に、関連するプロセッサに本明細書で説明する機能を実行させるコンピュータ命令の対応するセットを記憶した、任意の形態のコンピュータ可読記憶媒体内で全体として具現化されるものと見なすことができる。したがって、本発明の様々な態様は、請求する主題の範囲内にすべて入ることが企図されているいくつかの異なる形態で具現化され得る。さらに、本明細書で説明する実施形態ごとに、任意のそのような実施形態の対応する形態は、本明細書では、たとえば、説明する動作を実行する「ように構成された論理」として説明されることがある。
【００１２】
本明細書で説明する技法は、CDMA、TDMA、FDMA、OFDMAおよびSC-FDMAシステムなどの、様々なセルラー通信システムに使用され得る。「システム」および「ネットワーク」という用語は、しばしば互換的に使用される。CDMAシステムは、Universal Terrestrial Radio Access(UTRA)、cdma2000などの無線技術を実装し得る。UTRAは、広帯域CDMA(WCDMA(登録商標))およびCDMAの他の変形態を含む。cdma2000は、IS-2000規格、IS-95規格およびIS-856規格をカバーする。TDMAシステムは、Global System for Mobile Communications(GSM(登録商標))などの無線技術を実装し得る。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDM(登録商標)などの無線技術を実装し得る。UTRAおよびE-UTRAは、Universal Mobile Telecommunication System(UMTS)の一部である。3GPP Long Term Evolution(LTE(登録商標))は、ダウンリンクでOFDMAを使用し、アップリンクでSC-FDMAを使用する、E-UTRAを使用するUMTSのリリースである。UTRA、E-UTRA、UMTS、LTE(登録商標)およびGSM(登録商標)は、「3rd Generation Partnership Project」(3GPP)という名称の組織の文書に記載されている。cdma2000およびUMBは、「3rd Generation Partnership Project 2」(3GPP2)という名称の組織の文書に記載されている。明快のために、本技法のいくつかの態様について以下ではLTE(登録商標)に関して説明し、以下の説明の大部分でLTE(登録商標)用語を使用する。
【００１３】
図1に、LTE(登録商標)システムであり得るセルラー通信システム100を示す。セルラー通信システム100は、いくつかのノードBと他のネットワークエンティティとを含み得る。簡単のために、3つのみのノードB110a、110bおよび110cが図1に示されている。ノードBは、ユーザ機器(UE)と通信するために使用される固定局であり得、発展型ノードB(eNB)、基地局、アクセスポイントなどと呼ばれることもある。各ノードB110a-c(総称してノードB110)は、特定の地理的エリア102に対して通信カバレージを提供する。システム容量を改善するために、ノードBの全体的なカバレージエリアは、複数のより小さいエリア、たとえば、3つのより小さいエリア104a、104bおよび104cに区分され得る。各より小さいエリアは、それぞれのノードBサブシステムによってサービスされ得る。3GPPでは、「セル」という用語は、このカバレージエリアにサービスするノードBおよび/またはノードBサブシステムの最小カバレージエリアを指し得る。他のシステムでは、「セクタ」という用語は、このカバレージエリアにサービスする基地局および/または基地局サブシステムの最小カバレージエリアを指し得る。明快のために、以下の説明ではセルの3GPP概念を使用する。
【００１４】
図1に示す例では、各ノードB110は、異なる地理的エリアをカバーする3つのセルを有する。簡単のために、図1は互いに重複していないセルを示している。実際の展開では、隣接するセルは一般にエッジにおいて互いに重複し、それにより、UEがシステムを動き回るときにUEがどのロケーションでも1つまたは複数のセルからカバレージを受信することが可能になり得る。
【００１５】
UE120はシステム全体にわたって分散され得、各UEは固定または移動であり得る。UEは、移動局、端末、アクセス端末、加入者ユニット、局などと呼ばれることもある。UEは、セルラーフォン、携帯情報端末(PDA)、ワイヤレスモデム、ワイヤレス通信デバイス、ハンドヘルドデバイス、ラップトップコンピュータ、コードレスフォンなどであり得る。UEは、ダウンリンクおよびアップリンク上の送信を介してノードBと通信し得る。ダウンリンク(または順方向リンク)はノードBからUEへの通信リンクを指し、アップリンク(または逆方向リンク)はUEからノードBへの通信リンクを指す。図1では、両矢印を有する実線はノードBとUEとの間の双方向通信を示す。片矢印を有する破線は、たとえば、ブロードキャストおよび/またはマルチキャストサービスのために、ノードBからダウンリンク信号を受信しているUEを示す。「UE」および「ユーザ」という用語は、本明細書では互換的に使用される。
【００１６】
ネットワークコントローラ130は、その制御の下でノードBのために調整および制御を行い、これらのノードBによってサービスされる端末のデータをルーティングするために、複数のノードBに結合し得る。セルラー通信システム100は、図1に示されていない他のネットワークエンティティも含み得る。さらに、図示のように、ネットワークコントローラ130は、セルラー通信システム100を介して様々なUE120にグループ通信サービスを提供するために、アプリケーションサーバ150に動作可能に結合され得る。UEとサーバとの間の通信を可能にするために使用され得る多くの他のネットワークおよびシステムエンティティと、アクセスネットワークの外部の情報とが存在し得ることを諒解されよう。したがって、本明細書で開示する様々な実施形態は、様々な図において詳述する特定の構成または要素に限定されない。
【００１７】
システムは、複数のUEのために発展型マルチメディアブロードキャスト/マルチキャストサービス(eMBMS:evolved multimedia broadcast/multicast service)をサポートし、ならびに個々のUEのためにユニキャストサービスをサポートし得る。eMBMSのためのサービスは、eMBMSサービスまたはフローと呼ばれることがあり、ブロードキャストサービス/フローまたはマルチキャストサービス/フローであり得る。
【００１８】
LTE(登録商標)では、データおよびオーバーヘッド情報は、無線リンク制御(RLC)レイヤにおいて論理チャネルとして処理される。論理チャネルは、媒体アクセス制御(MAC)レイヤにおいてトランスポートチャネルにマッピングされる。トランスポートチャネルは、物理(PHY)レイヤにおいて物理チャネルにマッピングされる。Table 1(表1)に、LTE(登録商標)において使用される、(「L」として示された)いくつかの論理チャネルと、(「T」として示された)トランスポートチャネルと、(「P」として示された)物理チャネルとを記載し、各チャネルについて短い説明を与える。
【００１９】
【表１】
0005881911.tif 000002
【００２０】
Table 1(表1)に示すように、異なるチャネル上で異なるタイプのオーバーヘッド情報が送られ得る。Table 2(表2)に、いくつかのタイプのオーバーヘッド情報を記載し、各タイプについて短い説明を与える。Table 2(表2)はまた、1つの設計に従って、各タイプのオーバーヘッド情報が送られ得るチャネルを与える。
【００２１】
【表２】
0005881911.tif 000003
【００２２】
異なるタイプのオーバーヘッド情報は、他の名前で呼ばれることもある。スケジューリングおよび制御情報は動的であり得るが、システムおよび構成情報は半静的であり得る。
【００２３】
システムは、マルチセルモードとシングルセルモードとを含み得る、eMBMSのための複数の動作モードをサポートし得る。マルチセルモードは以下の特性を有し得る。
・ブロードキャストサービスまたはマルチキャストサービスのためのコンテンツが、複数のセル上で同期的に送信され得る。
・ブロードキャストサービスおよびマルチキャストサービスのための無線リソースが、ノードBの上に論理的に配置され得るMBMS協調エンティティ(MCE:MBMS Coordinating Entity)によって割り振られる。
・ブロードキャストサービスおよびマルチキャストサービスのためのコンテンツがノードBにおいてMCH上にマッピングされる。
・ブロードキャストサービス、マルチキャストサービス、およびユニキャストサービスのためのデータの(たとえば、サブフレームレベルにおける)時分割多重化。
【００２４】
シングルセルモードは以下の特性を有し得る。
・各セルが、他のセルとの同期なしにブロードキャストサービスおよびマルチキャストサービスのためのコンテンツを送信する。
・ブロードキャストサービスおよびマルチキャストサービスのための無線リソースがノードBによって割り振られる。
・ブロードキャストサービスおよびマルチキャストサービスのためのコンテンツがDL-SCH上にマッピングされる。
・ブロードキャストサービス、マルチキャストサービス、およびユニキャストサービスのためのデータが、DL-SCHの構造によって可能にされる任意の方法で多重化され得る。
【００２５】
概して、eMBMSサービスは、マルチセルモード、シングルセルモード、および/または他のモードでサポートされ得る。マルチセルモードは、受信性能を改善するために、複数のセルから受信された信号をUEが合成することを可能にし得る、eMBMSマルチキャスト/ブロードキャスト単一周波数ネットワーク(MBSFN:multicast/broadcast single frequency network)送信のために使用され得る。
【００２６】
上記に示したように、eMBMSサービスは、グループにマルチキャストデータを配布するために使用され得、グループ通信システム(たとえば、プッシュツートーク(PTT)呼)で有用であり得る。eMBMSにおける従来のアプリケーションは、別個のサービス告知/発見機構を有する。さらに、事前確立されたeMBMSフロー上の通信は、エアインターフェースにおいてさえ常時オンである。節電最適化は、呼/通信が進行中でないとき、UEをスリープにするように適用されなければならない。これは、典型的には、ユニキャストまたはマルチキャストユーザプレーンデータに関する帯域外のサービス告知を使用することによって実現される。代替的に、アプリケーションレイヤページングチャネル機構を使用することができる。アプリケーションレイヤページング機構は、アクティブのままでなければならないので、ページング機構がない場合にアイドル状態である可能性があるマルチキャストサブフレームの帯域幅を消費する。さらに、マルチキャストサブフレームは、アプリケーションレイヤページングを使用している間はアクティブであるので、サブフレーム内のリソースブロックの残りは、ユニキャストトラフィックに使用することができない。したがって、合計5Mhzの帯域幅は、たとえば、アプリケーションレイヤページングが他のいかなるデータもなしにスケジューリングされるとき、サブフレームのために消費される。
【００２７】
低レイテンシを実現し、制御シグナリングを低減するために、各MBSFNに関して、1つのeMBMSフローをアクティブ化することができる。データレートに応じて、単一のスロット上で複数のマルチキャストフローを多重化することができる。PTT UE(ターゲット)は、スケジューリングされたサブフレームを無視し、スケジューリングされたサブフレーム間で「スリープ」し、UEに関してユニキャストデータがスケジューリングされていないときに電力消費を低減することができる。MBSFNサブフレームは、同じMBSFNサービスエリアにおけるグループによって共有され得る。MACレイヤシグナリングは、ターゲットUEのアプリケーションレイヤ(たとえば、PTTアプリケーション)を「起動する」ために活用され得る。
【００２８】
図2に、様々な実施形態に関して本明細書で説明する、eノードBのうちの1つおよびUEのうちの1つであり得る、eノードB110およびUE120の設計のブロック図を示す。この設計では、eノードB110はT個のアンテナ234a〜234tを装備し、UE120はR個のアンテナ252a〜252rを装備するが、概して、Tは1以上であり、Rは1以上である。
【００２９】
eノードB110において、送信プロセッサ220は、データソース212から(たとえば、アプリケーションサーバ150から直接または間接的に)、ユニキャストサービスのためのデータと、ブロードキャストおよび/またはマルチキャストサービスのためのデータとを受信し得る。送信プロセッサ220は、各サービスのためのデータを処理してデータシンボルを取得し得る。送信プロセッサ220はまた、コントローラ/プロセッサ240および/またはスケジューラ244から、スケジューリング情報、構成情報、制御情報、システム情報および/または他のオーバーヘッド情報を受信し得る。送信プロセッサ220は、受信されたオーバーヘッド情報を処理し、オーバーヘッドシンボルを与え得る。送信(TX)多入力多出力(MIMO)プロセッサ230は、データおよびオーバーヘッドシンボルをパイロットシンボルと多重化し、多重化シンボルを処理(たとえば、プリコード)し、T個の変調器(MOD)232a〜232tにT個の出力シンボルストリームを与え得る。各変調器232a〜232tは、それぞれの出力シンボルストリームを(たとえば、OFDM用に)処理して、出力サンプルストリームを取得し得る。各変調器232はさらに、出力サンプルストリームを処理(たとえば、アナログ変換、増幅、フィルタ処理、およびアップコンバート)して、ダウンリンク信号を取得し得る。変調器232a〜232tからのT個のダウンリンク信号は、それぞれT個のアンテナ234a〜234tを介して送信され得る。
【００３０】
UE120において、アンテナ252a〜252rは、eノードB110からダウンリンク信号を受信し、受信された信号をそれぞれ復調器(DEMOD)254a〜254rに与え得る。各復調器254は、それぞれの受信された信号を調整(たとえば、フィルタ処理、増幅、ダウンコンバート、およびデジタル化)して、受信されたサンプルを取得し得、受信されたサンプルを(たとえば、OFDM用に)さらに処理して、受信されたシンボルを取得し得る。MIMO検出器260は、すべてのR個の復調器254a〜254rから受信されたシンボルを受信および処理し、検出されたシンボルを与え得る。受信プロセッサ270は、検出されたシンボルを処理し、UE120および/または所望のサービスについての復号されたデータをデータシンク272に与え、復号されたオーバーヘッド情報をコントローラ/プロセッサ290に与え得る。概して、MIMO検出器260および受信プロセッサ270による処理は、eノードB110におけるTX MIMOプロセッサ230および送信プロセッサ220による処理と相補関係にある。
【００３１】
アップリンク上で、UE120において、データソース278からのデータと、コントローラ/プロセッサ290からのオーバーヘッド情報とは、送信プロセッサ280によって処理され、(適用可能な場合は)TX MIMOプロセッサ282によってさらに処理され、復調器254a〜254rによって調整され、アンテナ252a〜252rを介して送信され得る。eノードB110において、UE120からのアップリンク信号は、アンテナ234によって受信され、復調器232によって調整され、MIMO検出器236によって検出され、受信プロセッサ238によって処理されて、UE120によって送信されたデータおよびオーバーヘッド情報が取得され得る。データソース239は受信プロセッサ238に結合される。
【００３２】
コントローラ/プロセッサ240および290は、それぞれeノードB110およびUE120における動作を指示し得る。スケジューラ244は、ダウンリンクおよび/またはアップリンク送信についてUEをスケジューリングし、ブロードキャストサービスおよびマルチキャストサービスの送信をスケジューリングし、スケジューリングされたUEおよびサービスへの無線リソースの割当てを行い得る。コントローラ/プロセッサ240および/またはスケジューラ244は、ブロードキャストサービスおよびマルチキャストサービスのためのスケジューリング情報および/または他のオーバーヘッド情報を生成し得る。
【００３３】
コントローラ/プロセッサ290は、本明細書で説明する技法のためのプロセスを実装し得る。メモリ242および292は、それぞれeノードB110およびUE120のためのデータおよびプログラムコードを記憶し得る。一実施形態では、グループ通信アプリケーション294は、様々なプロセッサおよびUE120の他の構成要素と協調して動作して、FM/AMチャネルなどのローカル単方向無線ブロードキャストネットワークを介してグループ通信を受信することができる。したがって、eMBMS環境におけるグループ通信は、本明細書に開示された様々な実施形態に従って達成され得るが、依然として既存の規格に準拠したままである。
【００３４】
ユニキャストエアインターフェースの能力は、モバイル環境におけるおよび/または小さい地理的領域における大きいユーザグループ用の対話型グループ通信の制限要因である。BCMCSまたはeMBMSなどのマルチキャストチャネルを使用することは、制限されたエアインターフェースの問題を解決するが、非常に高価なインフラストラクチャおよびコアネットワークを必要とし、したがって、多くの事業者にとっては実際的な解決策ではない場合がある。エアインターフェースの制限に加えて、グループ通信サーバの拡張性も、非常に大規模なグループ呼通信の制限要因である。
【００３５】
様々な実施形態は、携帯電話のFM/AM無線受信機を使用して、セルラーネットワークではなくFM/AM無線チャネルを介して大きいグループ呼用のブロードキャストメディアを受信する。このようにして、企業顧客は、高価なブロードキャスト/マルチキャストセルラーネットワークインフラストラクチャに依存するのではなく、その大規模なグループ通信のニーズのためのより安価なFM/AM送信機を設置することができる。
【００３６】
ブロードキャスト/マルチキャストされるべきメディアは、グループ用に選択された特定のFM/AM無線周波数を介してメディアストリームを受信し、メディアストリームをブロードキャストする、新たに定義されたネットワーク要素(無線アクセスネットワーク(RAN)またはトランシーバ基地局(BTS)に類似した、あるいは単に別のクライアントであり得る)に転送される。事業者は、FM/AMチャネルを賃借または購入することができる。このFM/AM送信機のロケーションおよび信号強度は、大規模なグループが集中した局所的な地理的エリアをカバーするようなものである。分散している大規模なグループの場合、各ローカルクラスタをカバーするために複数のFM/AM送信機があり得る。FM/AM送信機の範囲外のグループメンバーは、ユニキャストチャネルを介してグループ呼に参加することができる。
【００３７】
FM/AMチャネルは、アナログメディアまたはデジタルメディアをブロードキャストすることができる。FM/AMを介したアナログ音声は、そのチャネルにチューニングする人は誰でもブロードキャストを聞くことができるので、セキュリティ問題を引き起こす。FM/AMを介してデジタル信号を送るための市販の解決策があるが、このことはブロードキャストのためのセキュリティを有効にするという利点を有する。
【００３８】
FM/AMを介したデジタル通信を使用することは、グループ通信に追加されるべき、様々な形式のセキュリティ機構を可能にする。セキュリティ要件によっては、FM/AMチャネルでのリスニングが制限されるまたは制限されない場合がある。リスニングを制限するために、デジタルシグナリングを暗号化することができる。サーバは、たとえば、サーバがメンバーデバイスに、そのメンバーの呼参加メッセージに応答して送る肯定応答において、暗号化鍵をメンバーデバイスに提供することができる。
【００３９】
加えて、デジタル信号を送信する1つのFM/AMチャネルは、その1つのFM/AMチャネル上で複数のグループ通信を多重化することによって、複数のグループをサポートすることができる。より多くのサブキャリアを使用すると、3つ以上の同時に存在するグループをサポートすることが可能であり得る。しかしながら、1つのFM/AMチャネルを使用して複数のグループをサポートすることは、各メンバーデバイス上のFM/AM受信機の能力に依存する。
【００４０】
各グループは、割り当てられたFM/AMチャネル、FM/AM送信機のアドレス、グループメンバーリスト、ならびに随意に、グループ通信がアクティブになる開始時間および終了時間(または継続時間)で定義される。グループ呼は、開始時間および終了時間/継続時間で示された特定の時間についてセットアップされ得るか、またはグループメンバーがグループ呼を開始したいときに直ちに始めるようにセットアップされ得る。グループを定義すると、各メンバーデバイスにグループ情報が通知される。呼サーバまたはグループデータベースサーバは、帯域外シグナリングを使用して、グループ情報をグループメンバーに通信することができる。帯域外シグナリングは、たとえば、ショートメッセージサービス(SMS)メッセージであり得る。メンバーデバイスはSMSメッセージからグループ情報を抽出することができ、またはユーザは情報を手動で入力することができる。サーバは、呼告知などの呼セットアップメッセージのための無線ブロードキャストデータシステム(RBDS:radio broadcast data system)またはFMデジタルシグナリングと、呼中シグナリングとを使用することができる。
【００４１】
グループ呼の時間の間、各メンバーデバイスはFM/AMチャネルを継続的に監視する。グループ呼は、決定された継続時間の間、「常時オン」となる。時間トリガに基づいて、サーバはチャットルームの場合のようにグループ呼を開始する。たとえば、大企業の本社における従業員間のグループ呼の場合、グループ呼はすべての従業員に対して毎週月曜日の9:00AMから10:00AMに定義され得る。したがって、毎週月曜日の9:00AMに、サーバはグループ呼をアクティブ化し、各メンバーデバイスはFM/AMチャネルにチューニングする。
【００４２】
グループ呼をアクティブ化するとき、サーバはサーバとFM/AM送信機との間のインターフェースをアクティブ化する。メンバーが話したいとき、そのメンバーはユニキャストチャネルを介してフロア要求をサーバに送る。サーバはフロアを制御し、メディアをFM/AM送信機に転送する。FM/AM送信機は、FM/AMチャネル上でメディアをブロードキャストする。すべてのメンバーは、チャネル上でどのグループメンバーが話していても、聞くことができる。
【００４３】
一実施形態では、メンバーは、ユニキャスト無線チャネルを介して参加メッセージをサーバに随意に送ることができる。このようにして、サーバは何人のメンバーが呼に参加しているかを追跡し、何人のメンバーが呼に参加していたかを示すステータスメッセージを(たとえば、SMSメッセージとして)グループメンバーの全員に定期的に送ることができる。FM/AMカバレージエリアの外のメンバーは、ユニキャストチャネルを介して呼に参加することができる。
【００４４】
図3を参照すると、携帯電話などのUE120(ここでは、ワイヤレスデバイス)は、プラットフォーム202を有し、プラットフォーム202は、RANから送信され、最終的にはコアネットワーク、インターネットならびに/または他のリモートサーバおよびネットワークから来る可能性がある、ソフトウェアアプリケーション、データおよび/またはコマンドを受信し、実行することができる。プラットフォーム202は、ASIC208、または他のプロセッサ、マイクロプロセッサ、論理回路、または他のデータ処理デバイスに動作可能に結合された、FM/AM受信機204およびトランシーバ206を含むことができる。ASIC208または他のプロセッサは、ワイヤレスデバイスのメモリ212中の任意の常駐プログラムとインターフェースするアプリケーションプログラミングインターフェース(「API」)210レイヤを実行する。メモリ212は、読取り専用メモリ(ROM)、ランダムアクセスメモリ(RAM)、電気消去可能プログラマブル(EEPROM)、フラッシュカード、またはコンピュータプラットフォームに共通の任意のメモリから構成され得る。プラットフォーム202は、メモリ212中でアクティブに使用されないアプリケーションを保持することができるローカルデータベース214も含むことができる。ローカルデータベース214は、一般にフラッシュメモリセルであるが、磁気媒体、EEPROM、光学媒体、テープ、ソフトまたはハードディスクなど、当技術分野で知られている任意の二次記憶デバイスであってもよい。内部プラットフォーム202の構成要素はまた、当技術分野で知られているように、構成要素の中でもとりわけ、アンテナ222、ディスプレイ224、プッシュツートークボタン228およびキーパッド226などの外部デバイスに動作可能に結合され得る。
【００４５】
したがって、本発明の一実施形態は、本明細書で説明した機能を実行する能力を含むUEを含むことができる。当業者なら諒解するように、様々な論理要素は、本明細書で開示する機能を実現するために、個別の要素、プロセッサ上で実行されるソフトウェアモジュール、またはソフトウェアとハードウェアの任意の組合せで具現化され得る。たとえば、ASIC208、メモリ212、API210およびローカルデータベース214をすべて協働的に使用して、本明細書で開示する様々な機能をロード、記憶および実行することができ、したがってこれらの機能を実行するための論理を様々な要素に分散することができる。代替として、機能は1つの個別構成要素に組み込まれ得る。したがって、図3のUE120の特徴は例示的なものにすぎず、本発明は図示の特徴または構成に限定されない。
【００４６】
図4に、アプリケーションサーバ150から通信を受信するFM/AM送信機140とともに、図1を参照しながら上記で説明したセルラー通信システム100を示す。FM/AM送信機140は、ノードB110bのサービスエリアに重複するとして示されているカバレージエリア142を有する。カバレージエリア142は、地形、大気条件、送信機電力、送信機の高度などに基づいて任意の地理的エリアをカバーすることは明らかである。したがって、カバレージエリア142は、示されているよりも大きいまたは小さい、ノードB110bのサービスエリアをカバーする場合がある。FM/AM送信機140は、カバレージエリア142において、アプリケーションサーバ150から受信されたグループ通信メディアをUE120に送信する。
【００４７】
図5に、一実施形態の例示的なフロー500を示す。505において、PTT呼などの大きいグループ呼は、ユーザA1からA1000、割り当てられたFM/AMチャネル、FM/AM送信機のアドレス、ならびに随意に、グループ通信がアクティブになる開始時間および終了時間(または継続時間)で定義される。この情報は、グループ呼の管理者ポータルで定義され得る。
【００４８】
510において、グループ情報データベースサーバ160は、SMSメッセージなどの帯域外シグナリングを使用して、このグループ情報をグループの各メンバーに送信する。グループ情報データベースサーバ160は、アプリケーションサーバ150またはアプリケーションサーバ150と通信している別個のエンティティであり得る。グループ情報データベースサーバ160は、グループ情報をグループメンバーに送るためにFM/AMチャネルを使用することができるが、そうする必要がない。
【００４９】
515において、アプリケーションサーバ150は開始時間にグループ呼をアクティブ化する。アプリケーションサーバ150は、シグナリングをグループメンバーに明示的に送ることができるが、呼のアクティブ化では、そうする必要がない。たとえば、アプリケーションサーバ150は、帯域外(たとえば、SMS)またはブロードキャストされた呼告知をグループメンバーに随意に送ることができる。正確に言えば、グループ呼をアクティブ化するために、アプリケーションサーバ150は呼を開始し、アプリケーションサーバ150とFM/AM送信機140との間のインターフェースをアクティブ化する。そのときから、どのメンバーがFM/AM周波数にチューニングしても、そのメンバーはグループ呼を聞き、ユニキャストチャネルを介してフロア要求メッセージを送ることができる。
【００５０】
アプリケーションサーバ150は、事前構成された開始時間または任意の他のトリガに基づいて、呼を開始することができる。たとえば、アプリケーションサーバ150は、管理者ポータルからの帯域外通信に基づいて、呼を開始してもよい。
【００５１】
520aにおいて、ユーザA1 120aは、ユーザA1 120aがマルチキャストユーザとしてグループ呼に参加していることを示す肯定応答をアプリケーションサーバ150に送信する。520bにおいて、ユーザA1000 120bは、ユーザA1000 120bがマルチキャストユーザとしてグループ呼に参加していることを示す肯定応答をアプリケーションサーバ150に送信する。520cにおいて、ユーザA501 120cは、ユーザA501 120cがユニキャストユーザとしてグループ呼に参加していることを示す肯定応答をアプリケーションサーバ150に送信する。ユーザA501 120cがFM/AMカバレージエリアの外にいるか、またはUEがFM/AM受信機を有していないので、ユーザA501 120cはユニキャストユーザとして呼に参加することができる。肯定応答はユニキャストチャネル上で送信される。525において、各マルチキャストメンバーデバイスは、FM/AMチャネルの監視を開始する。
【００５２】
説明しやすいように、図5は例示的なユーザA1 120a、A1000 120b、およびA501 120cのみを示している。しかしながら、明らかなように、任意の数のグループメンバーA1からA1000は、マルチキャストユーザまたはユニキャストユーザであってもよく、かつ/またはFM/AM受信機を有していても有していなくてもよい。
【００５３】
530において、ユーザA1 120aはフロアを要求し、フロアを許可される。ユーザA1 120aは、ユニキャストチャネル上でフロア要求をアプリケーションサーバ150に送信する。同様に、アプリケーションサーバ150は、ユニキャストチャネル上でフロア許可をユーザA1 120aに送信する。535において、ユーザA1 120aは、ユニキャストチャネル上でトークスパート(talk spurt)などのメディアをアプリケーションサーバ150に送信する。
【００５４】
540において、アプリケーションサーバ150は、メディアをFM/AM送信機140のアドレス(たとえば、インターネットプロトコル(IP)アドレス)に送信する。アプリケーションサーバ150はFM/AM送信機140をグループメンバーとして扱い、ユーザA501 120cなどのユニキャストメンバーを除くすべてのグループメンバーのためにメディアをFM/AM送信機140に送る。
【００５５】
545において、FM/AM送信機140は、FM/AMチャネル上でメディアをブロードキャストする。メディアは、(セキュリティを提供しない)アナログ形式でまたは(セキュリティを可能にする)FM/AMを介したデジタルメディアとして送られ得る。550において、アプリケーションサーバ150は、ユニキャストチャネルを介してメディアをユーザA501 120cなどのユニキャストユーザに送信する。
【００５６】
555において、アプリケーションサーバ150は、グループ呼中ステータスを各グループメンバーにブロードキャストする。この情報は、SMSメッセージとしても送信され得る。560において、指定された時間に、指定された継続時間の後に、呼発信者の命令で、またはグループ主宰者の命令で、アプリケーションサーバ150はグループ呼を終了する。565において、マルチキャストグループメンバーは、FM/AMチャネルの監視を停止する。
【００５７】
図6に、UE120において実行される一実施形態の例示的なフロー600を示す。605において、UE120は、グループ情報データベースサーバ160からグループ情報を受信する。情報は、グループメンバー、割り当てられたFM/AMチャネル、FM/AM送信機のアドレス、ならびにグループ通信がアクティブになる開始時間および終了時間(または継続時間)を指定することができる。610において、UE120は、グループ通信が始まっていることを検出する。これは、グループ通信の開始時間に達したことをUE120が検出すること、または、605で受信されたグループ情報で指定されたFM/AMチャネルを介してグループ通信がブロードキャストされることを示す、アプリケーションサーバ150からの呼告知をUE120が受信することに基づき得る。
【００５８】
615において、UE120は、指定されたFM/AMチャネルが利用可能であるかどうかを判断する。これは、UE120がFM/AM受信機を有するかどうかおよび/またはFM/AM受信機が指定されたFM/AMチャネルを受信することができるかどうかの判断を含み得る。たとえば、UE120がFM/AMチャネルのカバレージエリアの外にある場合、UE120はFM/AMチャネルを受信することができない可能性がある。
【００５９】
指定されたFM/AMチャネルが利用可能である場合、620において、UE120は、UE120がグループ通信のマルチキャストメンバーになることを示す肯定応答をアプリケーションサーバ150に送信する。625において、UE120は、FM/AMチャネルの監視を開始する。630において、UE120は、FM/AMチャネルを介してトークスパートなどのグループ通信メディアを受信する。
【００６０】
635において、UE120は、アプリケーションサーバ150からグループ呼中ステータスを受信する。640において、UE120は、グループ通信の終了を検出する。これは、アプリケーションサーバ150からの明示的なメッセージまたは呼終了時間の検出もしくは指定された呼継続時間の満了に基づき得る。645において、UE120は、FM/AMチャネルの監視を停止する。
【００６１】
指定されたFM/AMチャネルが利用可能でない場合、650において、UE120は、UE120がグループ通信のユニキャストメンバーになることを示す肯定応答を送信する。655において、UE120は、ユニキャストチャネルを介してトークスパートなどのグループ通信メディアを受信する。660において、UE120は、アプリケーションサーバ150からグループ呼中ステータスを受信する。
【００６２】
図7に、アプリケーションサーバ150において実行される一実施形態の例示的なフロー700を示す。705において、アプリケーションサーバ150は、通信グループのグループ情報を受信する。アプリケーションサーバ150は、グループ情報データベースサーバ160またはグループ呼発信者もしくは主宰者からこの情報を受信することができる。710において、アプリケーションサーバ150は、グループ情報に基づいてグループ呼を開始すべきであることを検出する。715において、アプリケーションサーバ150は、アプリケーションサーバ150とFM/AM送信機140との間のインターフェースをアクティブ化することによって、グループ呼をアクティブ化する。720において、アプリケーションサーバ150は、グループメンバーがグループ通信用のFM/AMチャネルを監視しているかどうかを示す肯定応答をグループメンバーから受信する。
【００６３】
725において、アプリケーションサーバ150は、グループメンバーからフロア要求を受信し、フロア許可をメンバーに送信する。730において、アプリケーションサーバ150は、メンバーからトークスパートなどのグループ通信メディアを受信し、受信された肯定応答に基づいて、適宜にグループ通信メディアをFM/AM送信機140およびユニキャストグループメンバーに転送する。
【００６４】
735において、アプリケーションサーバ150は、呼中ステータスをグループメンバーに送信する。740において、アプリケーションサーバ150は、グループ通信の終了を検出し、グループ通信を非アクティブ化する。
【００６５】
図8に、機能を実行するように構成された論理を含む通信デバイス800を示す。通信デバイス800は、限定はしないが、UE120、ノードBまたは基地局110、FM/AM送信機140、パケットデータネットワークエンドポイント、サーバ150および160のうちのいずれかなどを含む、上述の通信デバイスのいずれかに対応し得る。したがって、通信デバイス800は、ネットワークを介して1つまたは複数の他のエンティティと通信する(または通信を容易にする)ように構成された任意の電子デバイスに対応し得る。
【００６６】
図8を参照すると、通信デバイス800は、情報を受信および/または送信するように構成された論理805を含む。一例では、通信デバイス800がワイヤレス通信デバイス(たとえば、UE120、eノードB110、FM/AM送信機140など)に対応する場合、情報を受信および/または送信するように構成された論理805は、ワイヤレストランシーバおよび関連ハードウェア(たとえば、RFアンテナ、モデム、変調器および/または復調器など)などのワイヤレス通信インターフェース(たとえば、Bluetooth(登録商標)、WiFi、2G、3G、FM、AMなど)を含むことができる。別の例では、情報を受信および/または送信するように構成された論理805は、有線通信インターフェース(たとえば、インターネットにアクセスする手段となり得るシリアル接続、USBまたはFirewire接続、イーサネット(登録商標)接続など)に対応し得る。したがって、通信デバイス800が何らかのタイプのネットワークベースのサーバ(たとえば、アプリケーションサーバ150など)に対応する場合、情報を受信および/または送信するように構成された論理805は、一例では、ネットワークベースのサーバをイーサネット(登録商標)プロトコルを介して他の通信エンティティに接続するイーサネット(登録商標)カードに対応し得る。さらなる一例では、情報を受信および/または送信するように構成された論理805は、通信デバイス800がそのローカル環境を監視する手段となり得る知覚または測定ハードウェア(たとえば、加速度計、温度センサ、光センサ、ローカルRF信号を監視するためのアンテナなど)を含むことができる。情報を受信および/または送信するように構成された論理805は、実行されると、情報を受信および/または送信するように構成された論理805の関連ハードウェアがその受信および/または送信機能を実行することを可能にするソフトウェアも含み得る。ただし、情報を受信および/または送信するように構成された論理805は、ソフトウェア単体に対応するのではなく、情報を受信および/または送信するように構成された論理805は、その機能を実現するためのハードウェアに少なくとも部分的に依拠する。
【００６７】
図8を参照すると、通信デバイス800は、情報を処理するように構成された論理810をさらに含む。一例では、情報を処理するように構成された論理810は、少なくともプロセッサを含むことができる。情報を処理するように構成された論理810によって実行され得るタイプの処理の例示的な実装形態は、限定はしないが、判断を行うこと、接続を確立すること、異なる情報オプション間で選択を行うこと、データに関連した評価を行うこと、測定演算を実行するために通信デバイス800に結合されたセンサと対話すること、情報をあるフォーマットから別のフォーマットに(たとえば、.wmvから.aviへなど、異なるプロトコル間で)変換することなどを含む。たとえば、情報を処理するように構成された論理810に含まれるプロセッサは、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェアコンポーネント、あるいは本明細書で説明する機能を実行するように設計されたそれらの任意の組合せに相当し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。情報を処理するように構成された論理810は、実行されると、情報を処理するように構成された論理810の関連ハードウェアがその処理機能を実行することを可能にするソフトウェアも含み得る。ただし、情報を処理するように構成された論理810は、ソフトウェア単体に対応するのではなく、情報を処理するように構成された論理810は、その機能を実現するためのハードウェアに少なくとも部分的に依拠する。
【００６８】
図8を参照すると、通信デバイス800は、情報を記憶するように構成された論理815をさらに含む。一例では、情報を記憶するように構成された論理815は、少なくとも非一時的メモリおよび関連ハードウェア(たとえば、メモリコントローラなど)を含むことができる。たとえば、情報を記憶するように構成された論理815に含まれる非一時的メモリは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体に相当し得る。情報を記憶するように構成された論理815は、実行されると、情報を記憶するように構成された論理815の関連ハードウェアがその記憶機能を実行することを可能にするソフトウェアも含み得る。ただし、情報を記憶するように構成された論理815は、ソフトウェア単体に対応するのではなく、情報を記憶するように構成された論理815は、その機能を実現するためのハードウェアに少なくとも部分的に依拠する。
【００６９】
図8を参照すると、通信デバイス800はさらに、情報を提示するように構成された論理820を任意選択で含む。一例では、情報を提示するように構成された論理820は、少なくとも出力デバイスおよび関連ハードウェアを含むことができる。たとえば、出力デバイスは、ビデオ出力デバイス(たとえば、ディスプレイスクリーン、USB、HDMI(登録商標)など、ビデオ情報を搬送することができるポートなど)、オーディオ出力デバイス(たとえば、スピーカー、マイクロフォンジャック、USB、HDMI(登録商標)など、オーディオ情報を搬送することができるポートなど)、振動デバイス、および/または情報が出力のためにフォーマットされるか、通信デバイス800のユーザもしくはオペレータによって実際に出力される手段となり得る任意の他のデバイスを含むことができる。たとえば、通信デバイス800が図3に示すUE120に対応する場合、情報を提示するように構成された論理820は、ディスプレイ224を含むことができる。さらなる一例では、情報を提示するように構成された論理820は、ローカルユーザをもたないネットワーク通信デバイス(たとえば、ネットワークスイッチまたはルータ、リモートサーバなど)など、いくつかの通信デバイスでは省略されることがある。情報を提示するように構成された論理820は、実行されると、情報を提示するように構成された論理820の関連ハードウェアがその提示機能を実行することを可能にするソフトウェアも含み得る。ただし、情報を提示するように構成された論理820は、ソフトウェア単体に対応するのではなく、情報を提示するように構成された論理820は、その機能を実現するためのハードウェアに少なくとも部分的に依拠する。
【００７０】
図8を参照すると、通信デバイス800はさらに、ローカルユーザ入力を受信するように構成された論理825を任意選択で含む。一例では、ローカルユーザ入力を受信するように構成された論理825は、少なくともユーザ入力デバイスおよび関連ハードウェアを含むことができる。たとえば、ユーザ入力デバイスは、ボタン、タッチスクリーンディスプレイ、キーボード、カメラ、オーディオ入力デバイス(たとえば、マイクロフォン、またはマイクロフォンジャックなど、オーディオ情報を搬送することができるポートなど)、および/または情報が通信デバイス800のユーザもしくはオペレータから受信される手段となり得る任意の他のデバイスを含むことができる。たとえば、通信デバイス800が図3に示すUE120に対応する場合、ローカルユーザ入力を受信するように構成された論理825は、ディスプレイ224(タッチスクリーンを実装した場合)、キーパッド226などを含むことができる。さらなる一例では、ローカルユーザ入力を受信するように構成された論理825は、ローカルユーザをもたないネットワーク通信デバイス(たとえば、ネットワークスイッチまたはルータ、リモートサーバなど)など、いくつかの通信デバイスでは省略されることがある。ローカルユーザ入力を受信するように構成された論理825は、実行されると、ローカルユーザ入力を受信するように構成された論理825の関連ハードウェアがその入力受信機能を実行することを可能にするソフトウェアも含み得る。ただし、ローカルユーザ入力を受信するように構成された論理825は、ソフトウェア単体に対応するのではなく、ローカルユーザ入力を受信するように構成された論理825は、その機能を実現するためのハードウェアに少なくとも部分的に依拠する。
【００７１】
図8を参照すると、805〜825の構成された論理は、図8では別個のまたは異なるブロックとして示されているが、それぞれの構成された論理がその機能を実行するハードウェアおよび/またはソフトウェアは、部分的に重複し得ることを諒解されよう。たとえば、805〜825の構成された論理の機能を容易にするために使用されるいずれのソフトウェアも、情報を記憶するように構成された論理815に関連する非一時的メモリに記憶することができ、そうすることによって、805〜825の構成された論理は各々、その機能(すなわち、この場合、ソフトウェア実行)を、情報を記憶するように構成された論理805によって記憶されたソフトウェアの動作に部分的に基づいて実行する。同様に、構成された論理のうちの1つに直接関連するハードウェアは、他の構成された論理によって時々借用または使用され得る。たとえば、情報を処理するように構成された論理810のプロセッサは、データを、情報を受信および/または送信するように構成された論理805によって送信される前に、適切なフォーマットにフォーマットすることができ、そうすることによって、情報を受信および/または送信するように構成された論理805は、その機能(すなわち、この場合、データの送信)を、情報を処理するように構成された論理810に関連するハードウェア(すなわち、プロセッサ)の動作に部分的に基づいて実行する。
【００７２】
様々なブロックにおける構成された論理または「ように構成された論理」は、特定の論理ゲートまたは論理要素に限定されるのではなく、概して、本明細書で説明した機能を(ハードウェアまたはハードウェアとソフトウェアの組合せのいずれかを介して)実行するための能力を指すことが諒解されよう。したがって、様々なブロックに示す構成された論理または「ように構成された論理」は、「論理」という言葉を共有するにもかかわらず、必ずしも論理ゲートまたは論理要素として実装されるわけではない。様々なブロックの論理間の他の対話または協働が、以下でより詳細に説明する実施形態の検討から、当業者には明らかになるであろう。
【００７３】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本発明の範囲からの逸脱を生じるものと解釈すべきではない。
【００７４】
本明細書で開示する実施形態に関して説明する方法、シーケンス、および/またはアルゴリズムは、ハードウェアで、プロセッサによって実行されるソフトウェアモジュールで、またはその2つの組合せで直接具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。
【００７５】
したがって、一実施形態は、グループ通信を実施するための方法を具現化するコンピュータ可読媒体を含むことができる。したがって、本発明は図示の例に限定されず、本明細書で説明する機能を実行するためのいかなる手段も、様々な実施形態に含まれる。
【００７６】
上記の開示は本発明の例示的な実施形態を示すが、添付の特許請求の範囲によって規定される本発明の範囲から逸脱することなく、本明細書において様々な変更および修正を行えることに留意されたい。本明細書で説明する様々な実施形態による方法クレームの機能、ステップおよび/または動作は、特定の順序で実行されなくてもよい。さらに、様々な実施形態の要素は、単数形で説明または請求されていることがあるが、単数形に限定することが明示的に述べられていない限り、複数形が企図される。
【符号の説明】
【００７７】
100  セルラー通信システム
110、110a、110b、110c  ノードB、eノードB
102  地理的エリア
104a、104b、104c  より小さいエリア
120  UE
120a  ユーザA1
120b  ユーザA1000
120c  ユーザA501
130  ネットワークコントローラ
140  FM/AM送信機
150  アプリケーションサーバ、サーバ
160  グループ情報データベースサーバ、サーバ
202  プラットフォーム
204  FM/AM受信機
206  トランシーバ
208  ASIC
210  アプリケーションプログラミングインターフェース、API
212  メモリ
212  データソース
214  ローカルデータベース
220  送信プロセッサ
222  アンテナ
224  ディスプレイ
226  キーパッド
230  送信(TX)多入力多出力(MIMO)プロセッサ
232a〜232t  変調器(MOD)
234a〜234t  アンテナ
240  コントローラ/プロセッサ
242  メモリ
244  スケジューラ
252a〜252r  アンテナ
254a〜254r  復調器(DEMOD)
260  MIMO検出器
270  受信プロセッサ
272  データシンク
288  プッシュツートークボタン
290  コントローラ/プロセッサ
292  メモリ
292  メモリ
294  グループ通信アプリケーション
500  例示的なフロー
600  例示的なフロー
700  例示的なフロー
800  通信デバイス
805  情報を受信および/または送信するように構成された論理
810  情報を処理するように構成された論理
815  情報を記憶するように構成された論理
820  情報を提示するように構成された論理
825  ローカルユーザ入力を受信するように構成された論理
【図１】
0005881911.tif 000004
【図２】
0005881911.tif 000005
【図３】
0005881911.tif 000006
【図４】
0005881911.tif 000007
【図５】
0005881911.tif 000008
【図６】
0005881911.tif 000009
【図７】
0005881911.tif 000010
【図８】
0005881911.tif 000011